(57)【要約】【課題】商品ストック部の商品収容空間を確保しつつ陳列棚の前部に奥行長さの異なるさまざまな支給品の商品陳列カセットをそっくりそのまま載置できるようにする。【解決手段】上下方向で複数段にしてラック２に配し、スライド手段６によって前後にスライド可能な陳列台５と、陳列台５に配した略コ字枠状の囲繞枠板９と、囲繞枠板９のコ字枠内側における陳列台５の前部に商品陳列カセット１４の載置部１２ａを、後部に商品ストック部１２ｂをそれぞれ区画形成するよう囲繞枠板９に対し前後移動位置で固定可能とした盗難防止板１１とを備える。商品ストック部１２ｂの上部開口部分は陳列台５の後方へのスライド位置で上段位の他の陳列台５によって閉塞するようにし、陳列台５の前縁には、商品陳列カセット１４の奥行長さおよび盗難防止板１１の前後移動に応じて商品陳列カセット１４の取付位置を選択可能としたカセットストッパ２１を設ける。【選択図】図３
2012217705.tif 000002
【特許請求の範囲】
【請求項１】
上下方向で複数段にしてラックに配され且つスライド手段によって前後にスライド可能にして成る陳列台と、陳列台に配された略コ字枠状の囲繞枠板と、囲繞枠板のコ字枠内側における陳列台の前部に商品陳列カセットの載置部を、後部に商品ストック部をそれぞれ区画形成するよう囲繞枠板に対し前後に移動させた所望の位置で固定可能とした盗難防止板とを備え、商品ストック部の上部開口部分は陳列台の後方へのスライド位置で上段位の他の陳列台によって閉塞されるようにして成り、陳列台の前縁には、商品陳列カセットの奥行長さおよび盗難防止板の前後移動配置に応じて当該カセットストッパの取付位置を適宜選択可能とする商品陳列カセット保持用のカセットストッパを備えたことを特徴とする大量盗難抑止機能付の商品陳列棚装置。
【請求項２】
カセットストッパは、Ｌ字状に折曲されて成り、陳列台の底板に前後移動可能となって固定される水平部分と、商品陳列カセットの下面に形成された係合凹部に嵌合する垂直部分とを備えて成る請求項１記載の大量盗難抑止機能付の商品陳列棚装置。
【発明の詳細な説明】
【技術分野】
【０００１】
本発明は、主として化粧品のテスト見本品（試用見本品）と、これに対応して販売する販売商品とを纏めて陳列できる種々のサイズの商品陳列カセットを載置可能とし、しかもこれらの商品陳列カセットの後方にストックされる販売商品等を纏めて収納しても、そのストック商品の大量の盗難を抑止でき、また商品補充の容易性等も考慮された大量盗難抑止機能付の商品陳列棚装置に関する。
【背景技術】
【０００２】
従来、化粧品のテスト見本品（試用見本品）と、これに対応して販売する販売商品とを纏めて陳列できるものとした種々の商品陳列カセットが化粧品販売会社等で用意され、化粧品の各販売店に支給されている。
【０００３】
商品陳列カセットは、化粧品の試用見本品を陳列する見本商品陳列部を前部に、当該見本商品陳列部位における試用見本品に対応して販売される販売商品を保管する販売商品収容部を後部にそれぞれ区画形成し、やや横長ボックス状を呈するように構成されている。また、見本商品陳列部のボックス外壁となる側部は、前縁側が低く、後縁側に至るに伴い次第に高くなる傾斜縁としてあることで試用見本品の取り出し、戻し操作が容易にできるように配慮してある。
【０００４】
ただ、こうした化粧品自体は、体裁が良好な美麗な容器・ケース等に収納されていて、比較的に小型でありながらも高価なものであり、それ故、盗難の対象物として狙われることが比較的に多い。しかも、近時は単なる１品毎のいわゆる万引きではなく、グループで集団となって陳列棚から一時に大量に盗む窃盗グループ等による被害が増加しているのが現状である。
【０００５】
そこで、盗難防止の一方法として、例えば陳列棚には試用見本品のみを前部に配置すると共に、販売すべき販売商品は試用見本品とは完全に隔離するように設けた盗難防止板を隔てて後部に纏めて配置しておき、購入の要望があれば盗難防止板を開放して販売商品を取り出し、購入者に手渡すようにして盗難を防止することも行われている。
【先行技術文献】
【特許文献】
【０００６】
【特許文献１】特になし
【発明の概要】
【発明が解決しようとする課題】
【０００７】
しかしながら、このような方法によると、購入者にとっては販売員に対し盗難防止板の開放等を要請しなければならず、極めて面倒である。そこで、盗難による被害が最小限で済む僅かな個数の販売商品を試用見本品と共に陳列棚の前部に陳列しておき、商品補充時においてのみ盗難防止板を開放し、保管しておいた販売商品を取り出して陳列棚の前部に陳列できるようにすることが好ましい。その一方では試用見本品のみを陳列棚の前部に配置する代わりに、化粧品販売会社等で支給された上記した既存の商品陳列カセットを使用することで体裁良く商品を陳列できるから、この商品陳列カセットをそっくりそのまま使えるようにすることが望ましい。
【０００８】
ただ、商品陳列カセット自体は、奥行長さが大小さまざまなものがあり、例えば奥行長さが大きい場合では、盗難防止板の配置を陳列棚の後部側寄りに取り付けなければならず、この場合においては、盗難防止板によって隔てられている後部の販売商品収容部の空間が狭められてしまい、販売商品の収容個数を十分に確保することができない。また、このような販売商品収容部の収容空間を大きく確保するためには、支給品の商品陳列カセット自体の背面側をカット成形して奥行長さを小さくすることも可能であるが、このような加工自体は非常に面倒である。
【０００９】
そこで、本発明は叙上のような従来存した諸事情に鑑み創出されたもので、販売商品を試用見本品とは完全に隔離した状態で盗難防止板を介して後部に纏めて保管しておくことができるようにし、また商品ストック部の商品収容空間を確保しつつ陳列棚の前部に奥行長さの異なるさまざまな既存の例えば支給品の商品陳列カセットをカット成形等の面倒な加工を要せずにそっくりそのまま載置することができるようにした大量盗難抑止機能付の商品陳列棚装置を提供することを目的とする。
【課題を解決するための手段】
【００１０】
上述した課題を解決するために、本発明にあっては、上下方向で複数段にしてラック２に配され且つスライド手段６によって前後にスライド可能にして成る陳列台５と、陳列台５に配された略コ字枠状の囲繞枠板９と、囲繞枠板９のコ字枠内側における陳列台５の前部に商品陳列カセット１４の載置部１２ａを、後部に商品ストック部１２ｂをそれぞれ区画形成するよう囲繞枠板９に対し前後に移動させた所望の位置で固定可能とした盗難防止板１１とを備え、商品ストック部１２ｂの上部開口部分は陳列台５の後方へのスライド位置で上段位の他の陳列台５によって閉塞されるようにして成り、陳列台５の前縁には、商品陳列カセット１４の奥行長さおよび盗難防止板１１の前後移動配置に応じて取付位置を適宜選択可能とする商品陳列カセット保持用のカセットストッパ２１を備えたものとすることができる。
カセットストッパ２１は、Ｌ字状に折曲されて成り、陳列台５の底板５ａに前後移動可能となって固定される水平部分２１ａと、商品陳列カセット１４の下面に形成された係合凹部１４ａに嵌合する垂直部分２１ｂとを備えて成るものとすることができる。
【００１１】
以上のように構成された本発明に係る大量盗難抑止機能付の商品陳列棚装置にあって、陳列台５が後方位置にあるとき、商品陳列部位における上段位の他の陳列台５等によって商品ストック部１２ｂの上部開口部分を閉塞させると同時に盗難防止板１１自体を商品ストック部１２ｂに保管されている販売商品Ｇを盗難から守る防護壁とさせる。
陳列台５の前部に商品陳列カセット１４を載せる際には、カセットストッパ２１の水平部分２１ａを陳列台５の前縁に取り付け、カセットストッパ２１の垂直部分２１ｂに商品陳列カセット１４の係合凹部１４ａを係止させる。
このとき、商品陳列カセット１４の奥行長さと商品ストック部１２ｂの広狭調整との兼ね合いで、囲繞枠板９に対する盗難防止板１１の取付位置およびカセットストッパ２１の取付位置をそれぞれ前後に移動させる。
例えば、商品陳列カセット１４の奥行長さが陳列台５の前部である載置部１２ａに納まる程に短い場合は、カセットストッパ２１を後方にずらして固定させ、必要に応じて盗難防止板１１を前方にずらして固定させる。
一方、商品陳列カセット１４の奥行長さが陳列台５の前部である載置部１２ａに納まらない程に長い場合は、カセットストッパ２１を前方にずらして固定させ、さらに盗難防止板１１を後方にずらして固定させる。
また、商品ストック部１２ｂを広くしたい場合は、盗難防止板１１の取付位置を前方に移動させると同時にカセットストッパ２１を前方にずらして固定させる。
一方、商品ストック部１２ｂを狭くしたい場合は、盗難防止板１１の取付位置を後方に移動させると同時にカセットストッパ２１を後方にずらして固定させる。
【発明の効果】
【００１２】
本発明によれば、商品ストック部１２ｂの商品収容空間を確保しつつ陳列台５の前部に奥行長さの異なるさまざまな既存の例えば支給品の商品陳列カセット１４をカット成形することなくそのまま使用でき、従来と異なり安価に構成でき、また奥行長さの異なるさまざまな支給品の商品陳列カセット１４に対応させて載置することができる。
【００１３】
すなわち、これは本発明が、陳列台５の前部に商品陳列カセット１４の載置部１２ａを、後部に商品ストック部１２ｂをそれぞれ区画形成する盗難防止板１１を、囲繞枠板９に対し前後に移動させた所望の位置で固定可能とし、また陳列台５の前縁のカセットストッパ２１は、商品陳列カセット１４の奥行長さおよび盗難防止板１１の前後移動配置に応じて当該カセットストッパ２１の取付位置を適宜選択可能となるよう固定されて成るからであり、これにより、商品陳列カセット１４の奥行長さと商品ストック部１２ｂの広狭調整との兼ね合いで、囲繞枠板９に対する盗難防止板１１の取付位置およびカセットストッパ２１の取付位置をそれぞれ前後に移動させることで、奥行長さの異なるさまざまな支給品の商品陳列カセット１４に対応して載置することができる。
【００１４】
例えば商品陳列カセット１４の奥行長さが盗難防止板１１の前方で納まらない程に長い場合であっても、カセットストッパ２１を陳列台５の前方側に位置させることで、商品ストック部１２ｂの空間を狭めることなく、商品陳列カセット１４の奥行長さに応じた陳列台５の前部収容面積を容易に確保することができる。
【００１５】
また、商品陳列カセット１４の奥行長さが短い場合であっても、当該奥行長さに応じてカセットストッパ２１および盗難防止板１１の取付位置を適宜調整することによって奥行長さの異なるさまざまな支給品の商品陳列カセット１４に対応して載置することができる。しかも、陳列台５に載せられたこのような奥行長さが短い商品陳列カセット１４と盗難防止板１１との間に無駄な隙間が生じないようにすることができ、陳列台５の全スペースを有効に利用することができる。
【００１６】
また、陳列台５が後方にスライドした状態では、上段位の他の陳列台５等によって下段位の陳列台５における商品ストック部１２ｂの上部開口部分が閉塞されるので、商品ストック部１２ｂ内に保管されている大量の販売商品Ｇの持ち出しを未然に防止することができる。
【００１７】
カセットストッパ２１は、Ｌ字状に折曲されて成り、陳列台５の底板５ａに前後移動可能となって固定される水平部分２１ａと、商品陳列カセット１４の下面に形成された係合凹部１４ａに嵌合する垂直部分２１ｂとを備えて成るので、陳列台５に載せられている奥行長さの異なるさまざまな支給品の商品陳列カセット１４を確実に保持させておくことができる。
【００１８】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００１９】
【図１】本発明を実施するための一形態において陳列棚をラックへ取り付ける状態を示す分解斜視図である。
【図２】同じく囲繞枠板への盗難防止板の取り付けの一例を示す分解斜視図である。
【図３】同じく陳列棚の側断面図である。
【図４】同じく（ａ）は陳列台を引き出した状態の平面図、（ｂ）は正面図である。
【図５】陳列台の前縁に設けたカセットストッパの配置例を示す側断面図であり、（ａ）は奥行の短い商品陳列カセットに対応した場合、（ｂ）は奥行の長い商品陳列カセットに対応した場合である。
【図６】錠体の構造の一例を示す斜視図である。
【発明を実施するための形態】
【００２０】
以下、図面を参照して本発明の実施の一形態を詳細に説明すると、図において示される符号１は陳列棚であり、図１に示すように、陳列棚１は、後述する陳列台５と囲繞枠板９と盗難防止板１１とによって概ね構成されており、例えば壁面等に固定された左右で一対の支柱状のラック２に配列されている支持孔に棚受フレーム３を上下方向に沿う適宜間隔で係合して連結固定し、棚受フレーム３相互間に掛け渡し状に係合配置した前後一対の固定フレーム４に、この固定フレーム４の例えば３箇所に架設したスライド手段６によって陳列台５が前後にスライド可能にして多段的に配置されている。
【００２１】
スライド手段６は、図３、図４に示すように、例えば前後で一対にして配されている固定フレーム４相互間に前後方向に沿って掛け渡し状に敷設された前後ガイドレール７と、この前後ガイドレール７にボールベアリング等の滑動部材を介してスライドするように嵌め合わせた前後スライドレール８とから成る。前後ガイドレール７は上方開放の断面で溝形を呈する長尺状に形成されており、前後スライドレール８は下方開放の断面で溝形を呈する長尺状に形成されていて、滑動部材を介在させることで前後ガイドレール７との嵌め合いが離脱しないように相互に噛み合わされており、互いに相対的に移動可能にしてある。そして、固定フレーム４に前後ガイドレール７が固定され、前後スライドレール８に陳列台５が固定される。
【００２２】
また、上記したスライド手段６と並行して例えば左右一対にして中空状のスライド支持部１６が、前後の固定フレーム４相互間に掛け渡し状に架設され、このスライド支持部１６の上面に陳列台５の下面が当接している。スライド支持部１６の高さはスライド手段６の前後スライドレール８の高さに合わせてあることで、スライド支持部１６の上面で陳列台５が滑るものとなっており、これによって陳列台５自体、販売商品Ｇその他の荷重によるスライド手段６への負担を軽減している。
【００２３】
陳列台５は、図１、図２に示すように、上記前後スライドレール８に固定される例えば金属製薄板状の底板５ａの左右両側縁に例えば左右起立部５ｂ，５ｃ、底板５ａの後端側に例えば後側起立部５ｄそれぞれが立設され、左右起立部５ｂ，５ｃ、後側起立部５ｄの内側には、例えば透明な硬質合成樹脂（ＰＥＴ）製等の平面視コ字状の囲繞枠板９が起立固定されている。この囲繞枠板９は、断面Ｌ字形の背壁板９ｃの両側に、同様に断面Ｌ字形の左右側壁板９ａ，９ｂを配して成り、このＬ字形の底部によって底板５ａ上面に当接保持されている。また、陳列台５の前縁部には断面コ字枠状の引出用取っ手部５ｅが下方に向けて垂設され、この引出用取っ手部５ｅに下側から手指を引っ掛けることで陳列台５を引き出し方向に容易にスライドさせることができるようにしてある。また、引出用取っ手部５ｅの中央に形成された円形開口状の穿孔にシリンダー錠が嵌装されていることで後述する錠体１５となっている。
【００２４】
また、左右側壁板９ａ，９ｂ相互間には、陳列台５内側を前後に仕切るための例えば透明な硬質合成樹脂（ＰＥＴ）製等の盗難防止板１１が配されており、この盗難防止板１１と背壁板９ｃと左右側壁板９ａ，９ｂとによって囲繞された空間が補充用の販売商品Ｇを保管、収納する商品ストック部１２ｂとなっている。すなわち、図２に示すように、陳列台５の左右側壁板９ａ，９ｂと盗難防止板１１との平面から見て略Ｔ字状となった接合部分には、平面で略Ｌ字形となっている袋状の固定部材１３が嵌め込まれることで左右側壁板９ａ，９ｂ相互間で盗難防止板１１が固定される。この固定部材１３は、断面で略逆Ｕ字状に折り曲げられた一対の把持片１３ａ，１３ｂのＵ字端面の側縁同士が直角となって接合されて成る。そして、一方の把持片１３ａが陳列台５の左右側壁板９ａ，９ｂの上端縁に嵌着され、同時に他方の把持片１３ｂが盗難防止板１１の上端縁に嵌着されることにより、陳列台５の左右側壁板９ａ，９ｂと盗難防止板１１との接合部分が保持される。また、盗難防止板１１は、その上縁の両端部を除いた全域が略Ｌ字形に折り曲げ形成されていることで盗難防止板１１自体の屈曲に対する補強部１１ａとなっている。
【００２５】
このように盗難防止板１１を介して、販売する１乃至２・３個の販売商品Ｇおよび商品の試用見本品Ｔを陳列する既存の支給品たる商品陳列カセット１４の載置部１２ａが陳列台５の前部に、所定量の販売商品Ｇを保管する商品ストック部１２ｂが陳列台５の後部にそれぞれ区画形成される。こうして商品ストック部１２ｂ内の販売商品Ｇは、商品陳列カセット１４における販売商品Ｇの陳列位置に基本的には対応したそれの略後方位置で保管される。商品ストック部１２ｂは、直接に販売される販売商品Ｇの販売に足りる所定量の販売商品Ｇを保管するもので、商品陳列カセット１４内の販売商品Ｇが販売され、それが空になったとき等に商品陳列カセット１４に販売商品Ｇを補充させるストックヤードとなっている（図３参照）。
【００２６】
また、左右側壁板９ａ，９ｂに対する盗難防止板１１自体の交差位置の選定で、商品陳列カセット１４の載置部１２ａの収納容量を自由に変えられるため、支給品である所定の奥行長さを有する商品陳列カセット１４をそのまま使用できるものである。すなわち、盗難防止板１１を固定部材１３と共にいったん外してから、商品陳列カセット１４の奥行長さに対応すべく、前後側に移動させて嵌め合い固定させることができる。
【００２７】
陳列台５は、上段位の他の陳列台５等によって盗難防止板１１後方の商品ストック部１２ｂの上部開口部分が閉塞される。すなわち、陳列台５自体が棚受フレーム３後方側に位置するとき、この商品ストック部１２ｂの上部開口部分は上段位の陳列台５自体によって半ば閉塞されるようにしてある（図３参照）。そのために、盗難防止板１１の上端縁は、上段位の陳列台５底部に近接した高さ位置に設定して形成してある。ただ、商品ストック部１２ｂの上部開口部分は、上段位の陳列台５等によって完全に閉塞されているものではなく、陳列台５が後方位置にあるときに、前方から手指等を挿入しても商品ストック部１２ｂ内の販売商品Ｇを簡単には取り出すことができない程度の空隙部分をもって開放されていれば良い。このように、前部の商品陳列カセット１４設置部位と後部の商品ストック部１２ｂとに区画するための盗難防止板１１が、商品ストック部１２ｂに保管されている販売商品Ｇを盗難から守る防護壁となっているのである。
【００２８】
また、陳列台５を前方にスライド移動したときには、盗難防止板１１後方の商品ストック部１２ｂ自体の上部開口部分は上段位の陳列台５等の前縁から前方に位置して開放され、商品ストック部１２ｂ内の販売商品Ｇを直接に取り出すことができ、販売に伴い販売商品Ｇが減少した商品陳列カセット１４に補充できるようにしてある（図３参照）。
【００２９】
図５に示すように、陳列台５の底板５ａの前縁には、Ｌ字状に折曲されたカセットストッパ２１が固定され、このカセットストッパ２１の垂直部分２１ｂが、商品陳列カセット１４の前端下面に形成された逆Ｕ字状の係合凹部１４ａに嵌合することで当該商品陳列カセット１４が保持されている。すなわち、カセットストッパ２１はこれの水平部分２１ａに例えば前後一対の挿通孔２２ａ，２２ｂが形成されており、底板５ａの前縁に形成された取付孔２２に、カセットストッパ２１の前後いずれか一方の挿通孔２２ａ（２２ｂ）を合致させてから両孔に例えばプッシュ固定式リベット材２３を挿入させる。そして、このプッシュ固定式リベット材２３において、挿通孔２２ａ（２２ｂ）に係止させ、取付孔２２に配置されているアンカー体における底板５ａ裏面側に突出している部位をリベット本体の押し込みによって拡開係止させることによりカセットストッパ２１は底板５ａの前縁に固定されるものとしてある。例えば、商品陳列カセット１４の奥行長さが短い場合は、図５（ａ）に示すように、カセットストッパ２１の前側の挿通孔２２ａを底板５ａの取付孔２２に合致させてプッシュ固定式リベット材２３で固定する。また、商品陳列カセット１４の奥行長さが長い場合は、図５（ｂ）に示すように、カセットストッパ２１の後側の挿通孔２２ｂを底板５ａの取付孔２２に合致させてプッシュ固定式リベット材２３で固定する。こうして、商品陳列カセット１４の奥行サイズに応じてその取付位置を適宜選択できるようにしてある。
【００３０】
また、底板５ａの取付孔２２あるいはカセットストッパ２１の挿通孔２２ａ，２２ｂは、前後に複数であっても長孔状であっても良く、このようにすることで、カセットストッパ２１の底板５ａに対する前後移動調整時の移動ピッチを細かく設定でき、商品陳列カセット１４の奥行長さの微妙な違いに対しても容易に対応させることができる。尚、カセットストッパ２１の陳列台５に対する固定は、図示のようにプッシュ固定式リベット材２３によらずに、例えばネジ止めその他の固定方法を採用できるのは勿論である。
【００３１】
また、陳列台５を後方位置でロックする錠体１５を設けてあり、この錠体１５は、上記したように引出用取っ手部５ｅの中央に設けられていて、この錠体１５に対向すべく前側の固定フレーム４の略中央にはカギ受け部２４が設けられている。このカギ受け部２４は、長尺薄板状の水平板部２５の後部側が前側の固定フレーム４に固定され、水平板部２５の前端には立脚部分２６が折曲形成されている。この立脚部分２６の上側には側方に向けて垂直係止片２６ａが一体突設され、またこれに対応して水平板部２５の前側には水平係止片２７が付設されることで、両係止片２６ａ，２７の間には略Ｌ字状の隙間２８が形成されている。一方、錠体１５には、当該錠体１５のキー穴に挿入されたキーＫを９０度廻すことで下向き位置から横向き位置まで揺動される錠フック１５ａを備えている。すなわち、陳列台５が陳列棚１の後方側に押し込まれている状態で、錠体１５にキーＫを挿入し例えば反時計方向に９０度回すことで錠フック１５ａが上記隙間２８に係合固定され、これによって陳列台５が陳列棚１の前方側に引き出せないようになっている。
【００３２】
次に、以上のように構成された形態についての組立、使用の一例について説明すると、図１に示すように、ラック２の棚受フレーム３相互間に前後一対の固定フレーム４を取り付け、固定フレーム４の例えば３箇所にスライド手段６を、２箇所にスライド支持部１６をそれぞれ架設し、各スライド手段６に陳列台５を固定し、さらに陳列台５の上に囲繞枠板９が載置固定される。
【００３３】
そして、陳列台５の前部に商品陳列カセット１４を載せるのであり、載せるときにカセットストッパ２１の垂直部分２１ｂに商品陳列カセット１４の係合凹部１４ａを係合させることで当該商品陳列カセット１４が保持される。そして、この商品陳列カセット１４に合わせて、囲繞枠板９の内側に盗難防止板１１が配置され、図２に示すように、左右側壁板９ａ，９ｂと盗難防止板１１との平面から見て略Ｔ字状となった接合部分に固定部材１３を嵌め込むことで、左右側壁板９ａ，９ｂに対し盗難防止板１１が固定される。これにより陳列台５上の囲繞枠板９内が盗難防止板１１によって前後に仕切られ、前部の商品陳列カセット１４の載置部１２ａと後部の商品ストック部１２ｂとに区画される。
【００３４】
囲繞枠板９の内側に盗難防止板１１を配置し、取り付ける際には、商品陳列カセット１４の奥行長さと商品ストック部１２ｂの広狭との兼ね合いで、囲繞枠板９に対する盗難防止板１１の取付位置およびカセットストッパ２１の取付位置をそれぞれ前後に移動調整すればよい。
【００３５】
例えば、図５（ａ）に示すように、商品陳列カセット１４の奥行長さが陳列台５の前部である載置部１２ａに納まる程に短い場合は、カセットストッパ２１を後方にずらして当該カセットストッパ２１の前側の挿通孔２２ａを底板５ａの取付孔２２に合致させてプッシュ固定式リベット材２３で固定する。このとき、商品陳列カセット１４後端部と盗難防止板１１との間に空間ができれば当該盗難防止板１１の取付位置を前方に移動させる。
【００３６】
図５（ｂ）に示すように、商品陳列カセット１４の奥行長さが陳列台５の前部である載置部１２ａに納まらない程に長い場合は、カセットストッパ２１を前方にずらして当該カセットストッパ２１の後側の挿通孔２２ｂを底板５ａの取付孔２２に合致させてプッシュ固定式リベット材２３で固定する。尚、必要に応じて盗難防止板１１の取付位置を後方に移動させる。このようにして、商品陳列カセット１４の奥行長さに応じてこれをカットすることなくカセットストッパ２１および盗難防止板１１の取付位置を適宜選択することで、これらに対応すれば良いのであり、商品陳列カセット１４はそのまま載置使用することができる。
【００３７】
また、商品陳列カセット１４の奥行長さとの兼ね合いにより保管すべき販売商品Ｇの保管量を変更する場合等で商品ストック部１２ｂの広狭調整を行なっても良い。例えば商品ストック部１２ｂを広くしたい場合は、盗難防止板１１の取付位置を前方に移動させると同時にカセットストッパ２１を前方にずらして固定する。一方、商品ストック部１２ｂを狭くしたい場合は、盗難防止板１１の取付位置を後方に移動させると同時にカセットストッパ２１を後方にずらして固定する。
【００３８】
図３に示すように、陳列台５が、スライド手段６によって後方側に押し込まれ、錠体１５にて施錠されるときは、上段位の他の陳列台５等によって盗難防止板１１後方の商品ストック部１２ｂの上部開口部分が閉塞される。また、商品陳列カセット１４内への販売商品Ｇの補充時には、錠体１５を解錠し、スライド手段６によって陳列台５を陳列棚１の前方側に引き出して、上段位の陳列台５等によっては邪魔されないように商品ストック部１２ｂの上部開口部分を開放させた状態として、引き出し後の後部の商品ストック部１２ｂ内から販売商品Ｇを取り出し、商品陳列カセット１４内に補充する。その後、陳列台５を陳列棚１の後方側に押し込んでおき、錠体１５へキーＫを挿入することにより、陳列台５をロックしておく。
【００３９】
販売陳列時には、陳列台５を陳列棚１の後方側に押し込んでおき、更に必要があれば錠体１５にキーＫを挿入し反時計方向に９０度回すことで錠フック１５ａをカギ受け部２４の隙間２８に係合固定させておき、これによって陳列台５が前方側に引き出せないようにしておくことで、商品ストック部１２ｂ内の販売商品Ｇの盗難を防止する。
【符号の説明】
【００４０】
Ｇ…販売商品                            Ｔ…試用見本品
Ｋ…キー
１…陳列棚                              ２…ラック
３…棚受フレーム                        ４…固定フレーム
５…陳列台                              ５ａ…底部
５ｂ…左起立部                          ５ｃ…右起立部
５ｄ…後側起立部                        ５ｅ…引出用取っ手部
６…スライド手段                        ７…前後ガイドレール
８…前後スライドレール                  ９…囲繞枠板
９ａ…左側壁板                          ９ｂ…右側壁板
９ｃ…背壁板                            
１１…盗難防止板                        １１ａ…補強部
１２ａ…載置部                          １２ｂ…商品ストック部
１３…固定部材                          １３ａ，１３ｂ…把持片
１４…商品陳列カセット                  １４ａ…係合凹部
１５…錠体                              １５ａ…錠フック
１６…スライド支持部                    
２１…カセットストッパ                  ２１ａ…水平部分
２１ｂ…垂直部分                        ２２…取付孔
２２ａ，２２ｂ…挿通孔                  ２３…プッシュ固定式リベット材
２４…錠受け部                          ２５…水平板部
２６…立脚部分                          ２６ａ…垂直係止片
２７…水平係止片                        ２８…隙間
【図１】
2012217705.tif 000003
【図２】
2012217705.tif 000004
【図３】
2012217705.tif 000005
【図４】
2012217705.tif 000006
【図５】
2012217705.tif 000007
【図６】
2012217705.tif 000008